(57)【要約】  撮像画像の像振れを補正するためのレンズユニットの適切な駆動制御の実現する。撮像装置は筐体内でヨーイング方向とピッチング方向の少なくとも一方に回転可能に支持されているレンズユニットを有し、このレンズユニットは、駆動部により振れ補正駆動信号に基づいてヨーイング方向とピッチング方向の少なくとも一方に駆動される。この場合に、筐体に加わる回転の検出情報と、筐体内でレンズユニットに生じる回転の検出情報を用いて振れ補正駆動信号を生成する。
2017199582.tif 000002
【特許請求の範囲】
【請求項１】
筐体内でヨーイング方向及びピッチング方向の少なくとも一方に回転可能に支持されているレンズユニットと、
前記筐体に加わる回転を検出する第１の回転検出部と、
前記筐体内で前記レンズユニットに生じる回転を検出する第２の回転検出部と、
前記第１の回転検出部による検出情報及び前記第２の回転検出部の検出情報を用いて振れ補正駆動信号を生成する振れ補正演算部と、
前記振れ補正駆動信号に基づいて前記レンズユニットをヨーイング方向及びピッチング方向の少なくとも一方に駆動する駆動部と、を備えた
撮像装置。
【請求項２】
前記振れ補正演算部は、
前記第１の回転検出部と前記第２の回転検出部の各検出情報の差分値を用いて前記振れ補正駆動信号を生成する
請求項１に記載の撮像装置。
【請求項３】
前記レンズユニットの被写体側に他のレンズユニットが配置され、前記レンズユニットと前記他のレンズユニットにより撮像光学系が形成され、
前記振れ補正演算部は、
前記第１の回転検出部と前記第２の回転検出部の各検出情報の差分値と、前記筐体の回転角に対する前記レンズユニットの補正角の比率を反映させた値を用いて前記振れ補正駆動信号を生成する
請求項１に記載の撮像装置。
【請求項４】
前記レンズユニットは、前記筐体内に密閉状態で配置されている
請求項１に記載の撮像装置。
【請求項５】
前記レンズユニットの被写体側を、他のレンズユニットが塞ぐように前記筐体に装着されることで、前記レンズユニットが前記筐体内に密閉状態で配置される
請求項１に記載の撮像装置。
【請求項６】
前記レンズユニットによって得られた撮像画像信号に対する画像処理を行う画像処理部を備え、
前記画像処理部は、前記振れ補正演算部が求める前記第１の回転検出部と前記第２の回転検出部の各検出情報の差分値を用いて撮像画像信号に対する画像歪み補正を行う
請求項３に記載の撮像装置。
【請求項７】
前記第１の回転検出部及び前記第２の回転検出部は角速度センサである
請求項１に記載の撮像装置。
【請求項８】
前記第１の回転検出部は角速度センサであり、
前記第２の回転検出部はホール素子を用いた位置センサである
請求項１に記載の撮像装置。
【請求項９】
筐体内でヨーイング方向及びピッチング方向の少なくとも一方に回転可能に支持されているレンズユニットと、振れ補正駆動信号に基づいて前記レンズユニットをヨーイング方向及びピッチング方向の少なくとも一方に駆動する駆動部と、を備えた撮像装置の像振れ補正方法として、
前記筐体に加わる回転の検出情報と、前記筐体内で前記レンズユニットに生じる回転の検出情報を用いて前記振れ補正駆動信号を生成する
像振れ補正方法。
【発明の詳細な説明】
【技術分野】
【０００１】
本技術は撮像装置及び撮像装置における像振れ補正方法に関する。
【背景技術】
【０００２】
ビデオカメラやスチルカメラ等の撮像装置においては、撮像時の手振れ等によって生じる撮像画像の像振れを補正するための技術が各種提案されている。像振れの補正手法の一つとして、撮像装置に加わった振れに対して撮像光学系を物理的に回転移動させることで振れをキャンセルする手法が知られている。【０００３】
例えば特許文献１に記載の手振れ補正装置は、レンズと撮像素子を有するレンズユニットがピッチング方向、ヨーイング方向に回転可能とされている。ピッチング方向はレンズの光軸に直交する第１の支点軸の軸回り方向で、第２の方向は、光軸および第１の支点軸にともに直交する第２の支点軸の軸回り方向である。レンズユニットは、第１の支点軸を支点としてヨーイング方向へ回転されると共に第２の支点軸を支点としてピッチング方向へ回転されて、像振れの補正が行われる。
【先行技術文献】
【特許文献】
【０００４】
【特許文献１】特開平７−２７４０５６号公報
【発明の概要】
【発明が解決しようとする課題】
【０００５】
ところで撮像光学系、例えば各種のレンズや絞り機構、撮像素子等を有するレンズユニットを撮像装置筐体内において可動ユニットとして構成して像振れ補正を行う場合、可動ユニットの適切な駆動のために、像振れを生じさせる回転を、より正確に検出することが求められる。
そこで本開示では、可動ユニットとされたレンズユニットを、より適切に駆動するための回転検出を実現することを目的とする。
【課題を解決するための手段】
【０００６】
本技術に係る撮像装置は、筐体内でヨーイング方向及びピッチング方向の少なくとも一方に回転可能に支持されているレンズユニットと、前記筐体に加わる回転を検出する第１の回転検出部と、前記筐体内で前記レンズユニットに生じる回転を検出する第２の回転検出部と、前記第１の回転検出部による検出情報及び前記第２の回転検出部の検出情報を用いて振れ補正駆動信号を生成する振れ補正演算部と、前記振れ補正駆動信号に基づいて前記レンズユニットをヨーイング方向及びピッチング方向の少なくとも一方に駆動する駆動部と、を備えている。
撮像装置における撮像画像の像振れを補正する場合に、レンズユニットの振れ、即ちヨーイング方向の回転とピッチング方向の回転を適切に検出することが求められる。そこで筐体全体に加わる回転と、筐体に対するレンズユニットの回転の検出情報を用いることで、像振れ補正のためにレンズユニットを駆動すべき量を求めるようにする。【０００７】
上記した本技術に係る撮像装置においては、前記振れ補正演算部は、前記第１の回転検出部と前記第２の回転検出部の各検出情報の差分値を用いて前記振れ補正駆動信号を生成することが考えられる。
第１の回転検出部による検出情報は、撮像装置の振れの角度の情報となる。第２の回転検出部による検出情報は、撮像装置の振れ角度と、撮像装置内のレンズユニットの振れの角度を合成した情報となる。【０００８】
上記した本技術に係る撮像装置においては、前記レンズユニットの被写体側に他のレンズユニットが配置され、前記レンズユニットと前記他のレンズユニットにより撮像光学系が形成され、前記振れ補正演算部は、前記第１の回転検出部と前記第２の回転検出部の各検出情報の差分値と、前記筐体の回転角に対する前記レンズユニットの補正角の比率を反映させた値を用いて前記振れ補正駆動信号を生成することが考えられる。
レンズユニットと他のレンズユニットの光学特性の関係により、レンズユニットの回転角に対する補正角（補正駆動すべき角度）は、筐体の回転角（振れ角）に対して或る比率となる。そこで振れ補正駆動信号に当該比率を反映させる。【０００９】
上記した本技術に係る撮像装置においては、前記レンズユニットは、前記筐体内に密閉状態で配置されていることが考えられる。
即ちレンズユニットは、筐体外部からみて一部が直接表出した状態で回転駆動される構造とはされていない。【００１０】
上記した本技術に係る撮像装置においては、前記レンズユニットの被写体側を、他のレンズユニットが塞ぐように前記筐体に装着されることで、前記レンズユニットが前記筐体内に密閉状態で配置されることが考えられる。
即ちレンズユニットと他のレンズユニットにより撮像光学系が形成されるようにする。この場合に他のレンズユニットは、筐体に固定される状態とする。
他のレンズユニットにより被写体側が塞がれることで、回転可能に支持されているレンズユニットは、筐体外部からみて直接表出しない。【００１１】
上記した本技術に係る撮像装置においては、前記レンズユニットによって得られた撮像画像信号に対する画像処理を行う画像処理部を備え、前記画像処理部は、前記振れ補正演算部が求める前記第１の回転検出部と前記第２の回転検出部の各検出情報の差分値を用いて撮像画像信号に対する画像歪み補正を行うことが考えられる。
回転可能に支持されているレンズユニットと、筐体に固定された他のレンズユニットとして撮像光学系を分離している場合、振れに応じて動的な画像歪みが生ずる。これを画像処理により補正する。【００１２】
上記した本技術に係る撮像装置においては、前記第１の回転検出部及び前記第２の回転検出部は角速度センサであることが考えられる。
例えば第１の回転検出部は、２軸の角速度センサ（ジャイロセンサ）によって得られる筐体のヨーイング方向及びピッチング方向の角速度として、筐体の回転を検出する。
第２の回転検出部も、２軸の角速度センサ（ジャイロセンサ）によって得られるレンズユニットのヨーイング方向及びピッチング方向の角速度として、レンズユニットの回転を検出する。【００１３】
上記した本技術に係る撮像装置においては、前記第１の回転検出部は角速度センサであり、前記第２の回転検出部はホール素子を用いた位置センサであることが考えられる。
筐体に対するレンズユニットの振れを検出する第２の回転検出部としては、ホール素子を用いた位置センサとしてもよい。【００１４】
本技術に係る像振れ補正方法は、筐体内でヨーイング方向及びピッチング方向の少なくとも一方に回転可能に支持されているレンズユニットと、振れ補正駆動信号に基づいて前記レンズユニットをヨーイング方向及びピッチング方向の少なくとも一方に駆動する駆動部と、を備えた撮像装置の像振れ補正方法であり、前記筐体に加わる回転の検出情報と、前記筐体内で前記レンズユニットに生じる回転の検出情報を用いて前記振れ補正駆動信号を生成する処理を行う。
【発明の効果】
【００１５】
本技術によれば像振れ補正のためのレンズユニットの駆動制御のための適切な構成を実現できる。即ち、レンズユニットの正確な駆動のために、像振れを生じさせる回転をより正確に検出できる。
なお、ここに記載された効果は必ずしも限定されるものではなく、本開示中に記載されたいずれかの効果であってもよい。
【図面の簡単な説明】
【００１６】
【図１】本技術の実施の形態のレンズユニット構成の説明図である。
【図２】実施の形態のレンズユニットのレンズ群の説明図である。
【図３】実施の形態の可動側レンズユニットの斜視図である。
【図４】実施の形態の可動側レンズユニットの正面図である。
【図５】実施の形態のユニット保持部の断面概略図である。
【図６】実施の形態の駆動部を示す斜視図である。
【図７】実施の形態の駆動部の動作の説明図である。
【図８】実施の形態の撮像装置のブロック図である。
【図９】第１の実施の形態の振れ補正演算部のブロック図である。
【図１０】実施の形態のサーボ演算部のブロック図である。
【図１１】動的画像歪みの説明図である。
【図１２】第２の実施の形態の振れ補正演算部のブロック図である。
【発明を実施するための形態】
【００１７】
以下、実施の形態を次の順序で説明する。
＜１．レンズユニット回転による像振れ補正の概要＞
＜２．可動側レンズユニットの構造例＞
＜３．第１の実施の形態の撮像装置構成＞
＜４．第２の実施の形態の撮像装置構成＞
＜５．まとめ及び変形例＞
【００１８】
＜１．レンズユニット回転による像振れ補正の概要＞
図１Ａ、図１Ｂは本実施の形態の撮像装置１に搭載されている固定側レンズユニット１０と可動側レンズユニット２０を模式的に示している。
本実施の形態の撮像装置１では、撮像光学系が固定側レンズユニット１０と可動側レンズユニット２０に分割されている。即ち固定側レンズユニット１０内の各種レンズ等と、可動側レンズユニット２０内の各種レンズ等により、被写体光を撮像素子に集光する撮像光学系が形成されている。
【００１９】
当該撮像光学系の構成の一例を図２Ｂに示す。ここでは固定側レンズユニット１０は広角レンズとする例としている。例えば固定側レンズユニット１０には物体側より順に、物体側に凸面を向けた負の屈折力を有するメニスカス形状の第１レンズＬ１と、負の屈折力を有する第２レンズＬ２と、正の屈折力を有する第３レンズＬ３を有する構成とする。この構成を採用することによって、レンズ全系の焦点距離が短い広角レンズを実現することが可能となる。
【００２０】
可動側レンズユニット２０は、例えば物体側より順に、正の屈折力を有する第４レンズＬ４と、負の屈折力を有する第５レンズＬ５と、正の屈折力を有する第６レンズＬ６と、光軸近傍で負の屈折力を有し像側のレンズ面が光軸近傍で像側に凹形状で、かつ周辺部で像側に凸形状となる第７レンズＬ７とで構成する。
この構成を採用する場合、可動側レンズユニット２０で発生する収差をバランスよく補正しつつ全長を短縮することが可能となり、撮像装置１の小型化に有利となる。
また可動側レンズユニット２０には、像面に配置される撮像素子３０１や、撮像素子保護用のシールガラスＳＧが配置される。また開口絞りＳｔが、可動側レンズユニット２０の最も物体側のレンズ面（第４レンズＬ４）の近傍に配置されている。
もちろん図示以外に、各種の光学フィルタ等の光学部材が配置されていてもよい。
【００２１】
例えばこのような固定側レンズユニット１０と可動側レンズユニット２０を有する本実施の形態の撮像装置１では、撮像装置１の筐体１Ａ内において可動側レンズユニット２０は像振れ補正を行うためにピッチング方向、ヨーイング方向に回転可能とされている。
固定側レンズユニット１０は可動側レンズユニット２０の前方の被写体側（＝物体側）に配置されるように、撮像装置１の筐体１Ａに固定装着される。なお固定側レンズユニット１０は撮像装置１の筐体１Ａに着脱可能とされるものでもよい。
【００２２】
図１Ａは撮像装置１の筐体１Ａに回転が加わっていない状態、図１Ｂは撮像装置１の筐体１Ａに手ぶれ等によって角度θ１の回転が加わった状態を示している。
このような回転による像振れを解消するために、可動側レンズユニット２０が駆動される。例えば筐体１Ａ内で角度θ２の回転を行うように可動側レンズユニット２０が駆動される。
図２Ａ、図２Ｃは、可動側レンズユニット２０が角度θ２の回転を行うように駆動されている状態を示している。
図２Ｂは、回転が加わっていない図１Ａの状態に対応している。固定側レンズユニット１０の光軸Ｚ１と、可動側レンズユニット２０の光軸Ｚ２は一致している。
撮像装置１は、筐体１Ａに回転が加わった場合、固定側レンズユニット１０の光軸Ｚ１に対して可動側レンズユニット２０が傾くように、可動側レンズユニット２０を回転駆動することで、撮像画像の振れ補正を行う。図２Ａは撮像装置１の筐体１Ａに角度＋θ１の回転が与えられたことに応じて、可動側レンズユニット２０を角度＋θ２だけ回転させた状態を示している。図２Ｃは撮像装置１の筐体１Ａに角度−θ１の回転が与えられたことに応じて、可動側レンズユニット２０を角度−θ２だけ回転させた状態を示している。
なお、図ではヨーイング方向、ピッチング方向の一方の回転のみを表現しているが、実際には、これら両方の方向についての可動側レンズユニット２０の駆動が行われる。
【００２３】
撮像装置１の筐体１Ａに加わる回転の角度θ１（つまり装置のブレとしての振り角）と、可動側レンズユニット２０を駆動する補正量としての角度θ２の関係は、光学系構成による画角に応じて異なる。
今、固定側レンズユニット１０がワイドコンバージョンレンズとしての役割を持ち、可動側レンズユニット２０が本線光学系としての役割を持つ構成と仮定すると、固定側レンズユニット１０の倍率が小さくなると画角が広角化し、角度θ１と角度θ２の比率が大きくなる。
逆に、固定側レンズユニット１０の倍率が１倍（＝ワイドコンバージョンレンズとしての役割を果たさない状態）を考えると、ワイドコンバージョンレンズの画角は本線光学系の画角と同じになる。この場合、角度θ１＝角度θ２となる。
例えば固定側レンズユニット１０の倍率が０．５であれば、θ１：θ２＝２：１となる。
なお以上は一例であり、可動側レンズユニット２０の補正角は、各種の光学バランス設計等で変動する。
【００２４】
ここで図１Ｃ、図１Ｄには、比較のために撮像光学系の全体を含むユニット１０１を搭載し、振れ補正のために回転駆動する撮像装置１００の例を示している。ユニット１０１には、各種レンズや光学フィルタ、撮像素子等が搭載されている。この場合、撮像装置１００の筐体１００Ａに加わった回転（角度θ１）に対して、ユニット１０１全体を駆動して像振れを補正する。
【００２５】
このような機構に比較して、図１Ａ、図１Ｂの本実施の形態の撮像装置１の場合、撮像光学系の構成要素を固定側レンズユニット１０と可動側レンズユニット２０に分割して搭載し、可動側レンズユニット２０のみを駆動する構成としている。
可動側レンズユニット２０は全ての光学系構成部品を搭載するものではないことや、例えば広角用のレンズなどの比較的大型のレンズも搭載しなくてもよいことなどから、可動部分の小型化、軽量化を図ることができる。
これによって撮像装置１は、駆動機構の小型化を実現でき、ひいては撮像装置１の小型化に有利となる。
また可動部分（可動側レンズユニット２０）を小型軽量とすることで、駆動電力の低減も可能で、低消費電力化を促進できる。
【００２６】
また、図１Ｃ、図１Ｄの撮像装置１００の場合、ユニット１０１として撮像光学系の全体を可動部分としていることから、ユニット１０１の物体側の端部を撮像装置１００の筐体１００Ａに固定できず、筐体１００Ａに隙間が生じてしまう。このため、防塵性、防水性に不利となる。
これに対して図１Ａ、図１Ｂの実施の形態の撮像装置１は、固定側レンズユニット１０を筐体１Ａに固定装着することで、筐体１Ａに隙間を生じない密閉構造とする。
従って防塵性、防水性についても有利な構造とすることができる。
【００２７】
これらのことから実施の形態の撮像装置１は、特に人体に装着するウェアラブルカメラ、スポーツその他のアクティビティにおける器具・用具・乗り物等に装着する小型カメラ等としても好適である。
【００２８】
但し、実施の形態の撮像装置１は、筐体１Ａに加わる回転だけでなく、筐体１Ａ内での可動側レンズユニット２０に生じた回転も検知して、適切に上記の角度θ２の駆動を行うことが求められる。そこで図１Ａ、図１Ｂに示すように、撮像装置１の筐体１Ａに加わる回転を検出する回転検出部９と、可動側レンズユニット２０において回転を検出する回転検出部２４を備えるようにしている。そして後述するように、回転検出部９による検出情報及び回転検出部２４の検出情報を用いて振れ補正駆動信号を生成して可動側レンズユニット２０を駆動することとしている。
【００２９】
また、本実施の形態では図２Ａ、図２Ｂ、図２Ｃに示すように、可動側レンズユニット２０を回転移動させる際の回転移動中心Ｐ１が、固定側レンズユニット１０のレンズ群の光軸上における開口絞りＳｔが配置された位置近傍の点であるようにしている。これにより、回転移動中心Ｐ１が、入射瞳近傍の点となる。
この場合、開口絞りＳｔも、可動側レンズユニット２０に設けて、レンズＬ４〜Ｌ７のレンズ群及び撮像素子３０１と共に一体に回転移動させることが望ましい。
【００３０】
撮像光学系の入射瞳近傍の点を中心に可動側レンズユニット２０を回転させること、つまり可動側レンズユニット２０のレンズ群（Ｌ４〜Ｌ７）と撮像素子３０１とを一体に回転移動させることで、ぶれ補正や視野を変化させる際の不要な視野変動を抑制することが可能となる。
もし入射瞳位置から大きく異なる点を中心に、レンズ群（Ｌ４〜Ｌ７）と撮像素子３０１とを一体に回転移動させた場合、回転移動に伴う光軸Ｚ１に垂直な方向へのシフト成分が発生し、これによる視野変動が発生する。
後段の画像処理演算（例えば後述の画像処理部４の処理）によって、発生した視野変動を補正することも可能ではあるが、画像処理演算による補正を簡素化し、かつ回転移動でのぶれ補正量や視野の変化量をできるだけ大きく確保するためには、こうしたシフト成分が発生しないように開口絞りＳｔが配置された光軸近傍の点を中心に、レンズ群（Ｌ４〜Ｌ７）と撮像素子３０１を一体に回転移動させることが望ましいこととなる。
【００３１】
また、開口絞りＳｔは、固定側レンズユニット１０と可動側レンズユニット２０との間、特に、可動側レンズユニット２０の最も物体側のレンズＬ４のレンズ面の近傍に配置されていることが望ましい。これにより、撮像光学系の入射瞳をより物体側に配置することが可能となる。その結果、固定側レンズユニット１０のレンズ群（Ｌ１〜Ｌ３）を構成するレンズの外径サイズを抑制することができ、撮像装置１全体の小型化が達成できる。
【００３２】
＜２．可動側レンズユニットの構造例＞
実施の形態の撮像装置１における可動側レンズユニット２０の構造例を説明する。なお、筐体１Ａ内でヨーイング方向及びピッチング方向に回転可能に支持される可動側レンズユニット２０の構造は各種考えられ、以下説明する構造例はその一例である。
【００３３】
図３は像振れ補正のための機構を斜視図で示している。ここでは可動側レンズユニット２０と、可動側レンズユニット２０を支持するユニット保持部６０、及び駆動部６５を示している。
ユニット保持部６０、可動側レンズユニット２０をヨーイング方向およびピッチング方向へ回転可能に支持した状態で保持する。
駆動部６５は、後述する振れ補正演算部３からの振れ補正駆動信号に基づき可動側レンズユニット２０をヨーイング方向およびピッチング方向へ回転して、可動側レンズユニット２０に加わる振れによって生ずる撮像画像の像振れを補正する。
【００３４】
図４は、ユニット保持部６０により保持されている可動側レンズユニット２０の正面図、図５はユニット保持部６０の断面概略図（図３のＡ−Ａ’断面）である。
可動側レンズユニット２０の鏡筒５１には、撮像レンズの光軸上の所定の位置を中心位置ＣＰとした球面の一部である凸面が、転動面５２として、鏡筒５１の表面の周方向に帯状に形成されている。
ユニット保持部６０において、鏡筒５１に形成された転動面５２と対向する面にはボール保持部６３が形成されており、ボール保持部６３によってボール６４が転動面５２上を転動可能に保持されている。ボール保持部６３は、転動面５２の頭頂部を挟むように複数形成されている。例えば図５では、転動面５２の頭頂部を挟むように２つ形成されている。さらにボール保持部６３は、鏡筒５１の位置が径方向に移動することのないように、ユニット保持部６０に対して鏡筒５１の周方向に複数設けられている。例えば図４に示すように、ボール保持部６３の間隔が１２０度となるように設けられている。
したがって、可動側レンズユニット２０は、ユニット保持部６０に保持された状態で、転動面５２の中心位置ＣＰを基準として、ヨーイング方向およびピッチング方向へ回転可能となる。なおユニット保持部６０は、例えば図７のように駆動筐体６１に形成されている。
【００３５】
図６は可動側レンズユニット２０をヨーイング方向およびピッチング方向に回転駆動する駆動部６５の構成を示す斜視図である。駆動部６５は、図７のように、駆動筐体６１における可動側レンズユニット２０の後端面と対向する面６１１に設けられている。
駆動部６５は、図６のように、可動側レンズユニット２０をヨーイング方向に回転させる駆動コイル６５ｙａ，６５ｙｂと、可動側レンズユニット２０をピッチング方向に回転させる駆動コイル６５ｐａ，６５ｐｂを用いて構成されている。
また、可動側レンズユニット２０の後端面には、駆動コイル６５ｙａと対応する位置にマグネット５５ｙａが設けられている。同様に、駆動コイル６５ｙｂ，６５ｐａ，６５ｐｂと対応する位置にマグネット５５ｙｂ，５５ｐａ，５５ｐｂが設けられている。
【００３６】
マグネット５５ｙａは、駆動コイル６５ｙａと対向する面の磁極がＳ極であるマグネットとＮ極であるマグネットを水平方向に並べた構成とされている。なお図６では、駆動コイルと対向する面の磁極がＳ極であるマグネットを斜線で示している。マグネット５５ｙｂは、駆動コイル６５ｙｂと対向する面の磁極がＳ極であるマグネットとＮ極であるマグネットを水平方向に並べた構成とされている。
マグネット５５ｐａは、駆動コイル６５ｐａと対向する面の磁極がＳ極であるマグネットとＮ極であるマグネットを垂直方向に並べた構成とされている。マグネット５５ｐｂは、駆動コイル６５ｐｂと対向する面の磁極がＳ極であるマグネットとＮ極であるマグネットを垂直方向に並べた構成とされている。
【００３７】
マグネット５５ｙａ（５５ｙｂ）と駆動コイル６５ｙａ（６５ｙｂ）は、可動側レンズユニット２０が中央位置（回転範囲の中央位置）とされている状態で、マグネット５５ｙａ（５５ｙｂ）において水平方向に並んだ２つのマグネット間の中央位置が駆動コイル６５ｙａ（６５ｙｂ）の中央位置となるように配設されている。
同様に、マグネット５５ｐａ（５５ｐｂ）と駆動コイル６５ｐａ（６５ｐｂ）は、可動側レンズユニット２０が中央位置とされている状態で、マグネット５５ｐａ（５５ｐｂ）において垂直方向に並んだ２つのマグネット間の中央位置が駆動コイル６５ｐａ（６５ｐｂ）の中央位置となるように配設されている。
【００３８】
なお図６では、駆動コイル６５ｙａ（６５ｙｂ），６５ｐａ（６５ｐｂ）の内側には、マグネット５５ｙａ（５５ｙｂ），５５ｐａ（５５ｐｂ）によって生じた磁界を検出することで、可動側レンズユニット２０の回転位置を判別するためのホール素子６６ｙａ（６６ｙｂ），６６ｐａ（６６ｐｂ）を設けた例を示している。ホール素子６６ｙａ（６６ｙｂ），６６ｐａ（６６ｐｂ）は回転検出部２４として、可動側レンズユニット２０の回転位置（角度）を検出する。
このようにホール素子６６ｙａ（６６ｙｂ），６６ｐａ（６６ｐｂ）が設けられる例は、後述する第２の実施の形態に対応する。第１の実施の形態では、回転検出部２４は角速度センサとされ、可動側レンズユニット２０に取り付けられている例を述べるが、その場合は、この図６のようにホール素子を配置することは不要である。
【００３９】
図７で駆動部６５の動作を説明する。なお図７は、ピッチング方向（図中の矢印方向）の回転動作を例示しており、マグネット５５ｐａ（５５ｐｂ）と駆動コイル６５ｐａ（６５ｐｂ）を示している。図のわかりやすさを考慮して、マグネット５５ｙａ（５５ｙｂ）と駆動コイル６５ｙａ（６５ｙｂ）は図示を省略している。
【００４０】
可動側レンズユニット２０は、上述のように転動面５２とユニット保持部６０のボール保持部６３の間にボール６４が設けられていることから、転動面５２の中心位置ＣＰを回転支点として、回転可能に保持されている。
また、可動側レンズユニット２０が中央位置（回転可能範囲の中央位置）とされている状態で、マグネット５５ｐａ（５５ｐｂ）において垂直方向に並んだ２つのマグネット間の中央位置が駆動コイル６５ｐａ（６５ｐｂ）の中央位置となるように配設されている。
【００４１】
ここで、駆動コイル６５ｐａ（６５ｐｂ）に電流を供給すると、供給された電流に応じて磁界が発生して、発生した磁界によってマグネット５５ｐａ（５５ｐｂ）が垂直方向に移動される。すなわち、可動側レンズユニット２０に加わるピッチング方向の振れに応じて、駆動コイル６５ｐａ（６５ｐｂ）に電流を供給して可動側レンズユニット２０を回転させることで、ピッチング方向の像振れを補正することができる。
また図示していないが、可動側レンズユニット２０に加わるヨーイング方向の振れに応じて、駆動コイル６５ｙａ（６５ｙｂ）に電流を供給して可動側レンズユニット２０を回転させることで、ヨーイング方向の像振れを補正することができる。
このように駆動部６５によって可動側レンズユニット２０を回転させることで像振れを補正する。
【００４２】
なお、可動側レンズユニット２０をヨーイング方向およびピッチング方向に回転する構成は図３乃至図７に示した構成に限られない。例えば次のような構成でもよい。
可動側レンズユニットに対して垂直方向（水平方向）に第１回転軸を設けて、第１回転軸を内フレームで回転自在に保持する。また、第１回転軸をモータ等でヨーイング方向（ピッチング方向）に回転させる。さらに、内フレームに対して水平方向（垂直方向）に第２回転軸を設けて、第２回転軸を外フレームで回転自在に保持する。また、第２回転軸をモータ等でピッチング方向（ヨーイング方向）に回転させる。
このように、可動側レンズユニット２０を第１回転軸と第２回転軸で回転自在に支持して、第１回転軸と第２回転軸をそれぞれモータ等で回転させる構成であっても像振れ補正のための駆動が可能である。
【００４３】
＜３．第１の実施の形態の撮像装置構成＞
第１の実施の形態としての撮像装置１の構成を図８，図９で説明する。なお、撮像装置１は例えば上述の構造例のように、固定側レンズユニット１０と可動側レンズユニット２０を有し、可動側レンズユニット２０が筐体１Ａ内でヨーイング方向及びピッチング方向に回転可能に支持されている構成である。
【００４４】
図８は第１の実施の形態の撮像装置１の構成のブロック図である。撮像装置１は固定側レンズユニット１０、可動側レンズユニット２０、制御部２、振れ補正演算部３、画像処理部４、記録部５、表示部６、通信部７、操作部８、回転検出部９、駆動部１２を有する。
【００４５】
固定側レンズユニット１０は撮像装置１の筐体１Ａに固定されている。レンズ交換等を想定した着脱可能な構成とされていてもよい。ここでいう「固定」とは、撮像装置１の筐体１Ａ内で可動側レンズユニット２０のように回転可能とされているものではないという意味である。
固定側レンズユニット１０には、撮像光学系の一部を構成する光学部品が搭載されている。例えば図２Ｂで説明したようなレンズＬ１〜Ｌ３のような広角撮像のための光学系でもよいし、魚眼レンズ、ズームレンズその他の光学系でもよい。
【００４６】
可動側レンズユニット２０には、可動側光学系２１、撮像部２２、光学系駆動部２３、回転検出部２４が搭載されている。
可動側光学系２１には、固定側レンズユニット１０におけるレンズとともに撮像光学系を形成する光学部品が搭載されている。例えば図２Ｂで例示したように１又は複数のレンズや光学フィルタ、開口絞り等が設けられている。
【００４７】
撮像部２２は、撮像素子、前処理部、撮像駆動部等で構成されている。
物体側からの光は、固定側レンズユニット１０から可動側光学系２１に入射し、可動側光学系２１によって撮像素子の撮像面に光学像が結像される。撮像素子は光電変換処理を行い、撮像面に結像された光学像を電気信号に変換する。
この撮像素子は、例えばＣＣＤ（Charge Coupled Device）イメージセンサ、またはＣＭＯＳ（Complementary Metal-Oxide Semiconductor）イメージセンサ等が用いられる。
前処理部は、撮像素子で生成された電気信号に対してＣＤＳ（correlated double sampling：相関２重サンプリング）等のノイズ除去処理を行う。また前処理部は電気信号の信号レベルを所望の信号レベルとするゲイン調整を行う。さらに前処理部はＡ／Ｄ変換処理を行い、ノイズ除去処理やゲイン調整が行われた電気信号であるアナログの画像信号を、ディジタルの画像信号に変換して、画像処理部４へ出力する。
撮像駆動部は、制御部２からの制御信号に基づき、撮像素子を駆動するために必要な動作パルス等の生成を行う。例えば、電荷を読み出すための電荷読出パルス、垂直方向や水平方向の転送を行うための転送パルス、電子シャッター動作を行うためのシャッターパルス等の生成を行う。
【００４８】
光学系駆動部２３は、制御部２からの制御信号に基づき、可動側光学系２１の光学部品の駆動を行う。例えばフォーカスレンズを光軸方向に移動させてフォーカス調整を行う。またズームレンズが搭載される場合、光学系駆動部２３はズームレンズを光軸方向に移動させて焦点距離を可変する。さらに光学系駆動部２３は、メカニカルな絞り機構が搭載される場合に、その駆動を行う。
【００４９】
回転検出部２４は、図１Ａ、図１Ｂで説明したように可動側レンズユニット２０に搭載され、筐体１Ａ内の可動側レンズユニット２０に生じた回転を検出する。
具体的には、回転検出部２４には２軸のジャイロセンサ（角速度センサ）が用いられる。これにより回転検出部２４はヨーイング方向の回転に応じた角速度の検出情報ｄ２ｙと、ピッチング方向の回転に応じた角速度の検出情報ｄ２ｐを生成し、振れ補正演算部３に供給する。
【００５０】
駆動部１２は、振れ補正演算部３から供給された振れ補正駆動信号に基づき、上記のように可動側光学系２１、撮像部２２、光学系駆動部２３、回転検出部２４が搭載されている可動側レンズユニット２０を回転駆動する。具体的には振れ補正演算部３からの振れ補正駆動信号ＤＶｙにより可動側レンズユニット２０をヨーイング方向に回転させ、また振れ補正駆動信号ＤＶｐにより可動側レンズユニット２０をピッチング方向に回転させる。
図６に示した駆動部６５は、図８の駆動部１２の具体的な構成の一例である。この場合、駆動コイル６５ｐａ（６５ｐｂ）に供給する電流が振れ補正駆動信号ＤＶｐに相当し、駆動コイル６５ｙａ（６５ｙｂ）に供給する電流が振れ補正駆動信号ＤＶｙに相当する。
【００５１】
回転検出部９は、図１Ａ、図１Ｂで説明したように撮像装置１の筐体１Ａに搭載され、筐体１Ａに加わる回転を検出する。
具体的には、回転検出部９には２軸のジャイロセンサ（角速度センサ）が用いられる。これにより回転検出部２４はヨーイング方向の回転に応じた角速度の検出情報ｄ１ｙと、ピッチング方向の回転に応じた角速度の検出情報ｄ１ｐを生成し、振れ補正演算部３に供給する。
【００５２】
画像処理部４は、撮像部２２から出力されたディジタルデータとしての画像信号に対してカメラプロセス処理等を行う。
画像処理部４は、例えば画像信号に対してガンマ補正やニー補正等の非線形処理、動的歪み補正、色補正処理、輪郭強調処理、解像度変換処理、コーデック処理等を行う。画像処理部４は処理後の画像信号を表示部６、記録部５、通信部７へ出力する。
なお、画像処理部４において画像処理による像振れに対する補正を合わせて行うようにしてもよい。
【００５３】
記録部５は、画像処理部４から出力された画像信号を記録媒体に記録する。記録媒体としては、メモリカードや光ディスク、磁気テープ等のように着脱可能であってもよく、固定タイプのＨＤＤ（Hard Disk Drive）や半導体メモリモジュール等であってもよい。
また記録部５にエンコーダやデコーダを設けて画像信号の圧縮符号化や伸張復号化を行い、記録媒体には符号化信号を記録するようにしてもよい。
【００５４】
表示部６は、表示パネルや電子ビューファインダを構成しており、画像処理部４から出力された画像信号に基づきカメラスルー画像の表示等を行う。
また、表示部６は、撮像装置１の動作設定を行うためのメニュー表示や動作状態表示等も行う。
また表示部６では、記録部５において記録媒体に記録されている画像信号や符号化信号を読み出した場合に、その再生画像を表示するようにしてもよい。
なお、表示部６は、表示画素数が撮像画像よりも少ない場合、撮像画像を表示画像数の表示画像に変換する処理を行う。
【００５５】
通信部７は図示しない外部機器との間の有線又は無線による通信を行う。例えば画像信号や制御データの送信や受信を行う。これにより撮像装置１は図示しない外部機器に画像信号や制御データの送信を行ったり、外部機器から供給される画像信号を取得して記録や表示等の処理を行うことができる。
通信部７は、例えばＷＩＦＩ（Wireless Fidelity）やブルートゥース等の無線通信規格等の通信方式による通信を行うことが考えられる。
また通信部７は、ネットワーク通信部として、例えばインターネット、ホームネットワーク、ＬＡＮ（Local Area Network）等の各種のネットワークによる通信を行い、ネットワーク上のサーバ、端末等との間で各種データ送受信を行うようにしてもよい。
【００５６】
操作部８は、ユーザの操作を入力する入力機能を有し、入力された操作に応じた信号を制御部２へ送る。
この操作部８としては、例えば撮像装置１の筐体１Ａ上に設けられた各種操作子や、タッチパッド、表示部６に形成されたタッチパネルなどとして実現される。
筐体１Ａ上の操作子としては、再生メニュー起動ボタン、決定ボタン、十字キー、キャンセルボタン、ズームキー、スライドキー、シャッターボタン（レリーズボタン）、フォーカスリング等が考えられる。
またタッチパネルと表示部６に表示させるアイコンやメニュー等を用いたタッチパネル操作により、各種の操作が可能とされてもよい。
或いはタッチパッド等によりユーザのタップ操作を検出する形態もある。
【００５７】
制御部２は、ＣＰＵ（Central Processing Unit）、ＲＯＭ（Read Only Memory）、ＲＡＭ（Random Access Memory）、フラッシュメモリなどを備えたマイクロコンピュータ（演算処理装置）により構成される。
ＣＰＵがＲＯＭやフラッシュメモリ等に記憶されたプログラムを実行することで、この撮像装置１全体を統括的に制御する。
ＲＡＭは、ＣＰＵの各種データ処理の際の作業領域として、データやプログラム等の一時的な格納に用いられる。
ＲＯＭやフラッシュメモリ（不揮発性メモリ）は、ＣＰＵが各部を制御するためのＯＳ（Operating System）や、画像ファイル等のコンテンツファイルの他、各種動作のためのアプリケーションプログラムや、ファームウエア等の記憶に用いられる。本例においては特に、ステート検出及びそれに応じたモード制御のための処理を実行するためのプログラムも記憶される。
このような制御部２は、画像処理部４における各種信号処理の指示、ユーザの操作に応じた撮像動作や記録動作、記録した画像ファイルの再生動作、ズーム、フォーカス、露光調整等のカメラ動作、像振れの補正動作、ユーザインターフェース動作等について、必要各部を制御する。
【００５８】
振れ補正演算部３は、回転検出部９による検出情報ｄ１ｙ，ｄ１ｐ及び回転検出部２４の検出情報ｄ２ｙ，ｄ２ｐを用いて、駆動部１２に対する振れ補正駆動信号ＤＶｙ，ＤＶｐを生成する。即ち振れ補正演算部３は、撮像装置１に回転が加わった際に画像信号に生じる像振れを減少させるように可動側レンズユニット２０を回転させるための振れ補正駆動信号ＤＶｙ，ＤＶｐを生成する。
また振れ補正演算部３は、歪み補正情報ＳＤｙ、ＳＤｐを画像処理部４に供給する。
【００５９】
図９は振れ補正演算部３の構成例を示している。
振れ補正演算部３には、ヨーイング方向の回転に対応する第１演算部３ｙとピッチング方向の回転に対応する第２演算部３ｐを有する。
第１演算部３ｙは、減算器４１ｙ，４２ｙ，４３ｙ、乗算器４４ｙ、サーボ演算部４５ｙ、駆動信号出力部４６ｙを有する。
第２演算部３ｐは、減算器４１ｐ，４２ｐ，４３ｐ、乗算器４４ｐ、サーボ演算部４５ｐ、駆動信号出力部４６ｐを有する。
つまり第１演算部３ｙと第２演算部３ｐは同一の構成であり、それぞれがヨーイング方向とピッチング方向に対応するものとして設けられている。
【００６０】
第１演算部３ｙの動作を説明する。
減算器４１ｙには、回転検出部９からの検出情報（角速度）ｄ１ｙと、回転検出部２４からの検出情報（角速度）ｄ２ｙが入力され、減算器４１ｙはｄ２ｙ−ｄ１ｙの結果を出力する。
ここで検出情報ｄ１ｙは撮像装置１の筐体１Ａに加わったヨーイング方向の回転の角速度であり、検出情報ｄ２ｙは、筐体１Ａに加わったヨーイング方向の回転と可動側レンズユニット２０の同方向の回転の合成した回転の角速度である。従って減算器４１ｙの出力は、可動側レンズユニット２０のヨーイング方向の回転の角速度となる。この値は減算器４２ｙに供給される。
【００６１】
乗算器４４ｙは、検出情報ｄ１ｙの値に固定の係数を乗算する。この係数は図１Ｂに示した角度θ１，θ２の比率の値である。例えばθ１：θ２＝２：１であれば、乗算器４４ｙは検出情報ｄ１ｙの値に係数として“０．５”を乗算する。
つまり乗算器４４ｙは、撮像装置１の筐体１Ａに加わったヨーイング方向の回転の角度θ１からヨーイング方向の補正角としての角度θ２を求めるための乗算を行うもので、この場合、補正角としての角度θ２に相当する角速度の値を求めることになる。
【００６２】
減算器４２ｙは、減算器４１ｙの出力、即ち可動側レンズユニット２０の回転の角速度から、乗算器４４ｙの出力、即ち補正角としての角度θ２に相当する角速度を減算する。これによって実際の可動側レンズユニット２０に生じた回転の角速度と補正角に相当する角速度の差分が得られる。ここでいう補正角とは、可動側レンズユニット２０をヨーイング方向に回転させるべき角度である。
減算器４３ｙは、目標値ＴＧＶから減算器４２ｙの出力を減算する。目標値ＴＧＶとは、目標角速度であり、具体的には“０”である。
従って減算器４３ｙの出力は、可動側レンズユニット２０の実際の回転角度の補正角の差分を解消するための駆動量に相当する。換言すれば、可動側レンズユニット２０の回転量を、筐体１Ａに加わったヨーイング方向の回転の例えば１／２の回転（角度θ２）にするための誤差量となる。
【００６３】
この減算器４３ｙの出力はサーボ演算部４５ｙに供給される。
サーボ演算部４５ｙは詳しくは後述するようにサーボ演算動作を行い、減算器４３ｙから出力される誤差量が「０」となるように制御信号を生成して駆動信号出力部４６ｙへ出力する。
駆動信号出力部４６ｙは、サーボ演算部４５ｙから供給された制御信号に基づき振れ補正駆動信号ＤＶｙを生成して駆動部１２に供給することで、可動側レンズユニット２０が補正量としての角度θ２の回転（ヨーイング方向の回転）となるように、駆動部１２により可動側レンズユニット２０を駆動させる。
【００６４】
第２演算部３ｐの各部の動作も概略同様である。
第２演算部３ｐの場合は、減算器４１ｐには、回転検出部９からの検出情報（角速度）ｄ１ｐと、回転検出部２４からの検出情報（角速度）ｄ２ｐが入力され、減算器４１ｐはｄ２ｐ−ｄ１ｐの結果を出力する。
検出情報ｄ１ｐは撮像装置１の筐体１Ａに加わったピッチング方向の回転の角速度であり、検出情報ｄ２ｐは、筐体１Ａに加わったピッチング方向の回転と可動側レンズユニット２０の同方向の回転の合成した回転の角速度である。従って減算器４１ｐの出力は、可動側レンズユニット２０のピッチング方向の回転の角速度となる。この値は減算器４２ｐに供給される。
【００６５】
乗算器４４ｐは、検出情報ｄ１ｐの値に固定の係数（例えば“０．５”）を乗算する。
減算器４２ｐは、減算器４１ｐの出力、即ち可動側レンズユニット２０の回転の角速度から、乗算器４４ｐの出力、即ち補正角としての角度θ２に相当する角速度を減算する。
これによって実際の可動側レンズユニット２０に生じた回転の角速度と補正角に相当する角速度の差分が得られる。ここでいう補正角とは、可動側レンズユニット２０をピッチング方向に回転させるべき角度である。
減算器４３ｐは、目標値ＴＧＶ（＝０）から減算器４２ｐの出力を減算する。
従って減算器４３ｐの出力は、可動側レンズユニット２０の実際の回転角度の補正角の差分を解消するための駆動量に相当する。換言すれば、可動側レンズユニット２０のピッチング方向の回転量を、筐体１Ａに加わったピッチング方向の回転の例えば１／２の回転（角度θ２）にするための誤差量となる。
サーボ演算部４５ｐはサーボ演算動作を行い、減算器４３ｐから出力される誤差量が「０」となるように制御信号を生成して駆動信号出力部４６ｐへ出力する。
駆動信号出力部４６ｐは、サーボ演算部４５ｐから供給された制御信号に基づき振れ補正駆動信号ＤＶｐを生成して駆動部１２に供給することで、可動側レンズユニット２０が補正量としての角度θ２の回転（ピッチング方向の回転）となるように、駆動部１２により可動側レンズユニット２０を駆動させる。
【００６６】
以上のように振れ補正演算部３は、回転検出部９，２４からの検出情報（ｄ１ｙ、ｄ１ｐ、ｄ２ｙ、ｄ２ｐ）を用いてフィードバック制御を行い、撮像部２２で像振れが補正された撮像画像の画像信号を生成できるようにしている。
【００６７】
サーボ演算部４５ｙ，４５ｐについて説明する。
サーボ演算部４５ｙ，４５ｐは、例えば比例制御（Ｐ制御）と積分制御（Ｉ制御部）および微分制御（Ｄ制御）を選択的に組み合わせたＰＩＤ（Proportional-Integral-Differential）制御によるフィードバック制御を行う。
ＰＩＤ制御において、微分制御（Ｄ制御）は、比例制御（Ｐ制御）の過制御によるゲイン余裕および位相余裕の低下を改善して、フィードバック制御の安定性を向上させるために用いられる。
積分制御（Ｉ制御）は、フィードバック制御のオフセット特性を改善するために用いられる。これらの比例制御と微分制御と積分制御を、必要に応じて選択して組み合わせることでＰＩＤ制御が行われる。
【００６８】
比例制御では、式（１）の演算を行い制御出力を算出する。
偏差×比例ゲイン＝比例制御出力                      ・・・（１）
微分制御では、式（２）の演算を行い制御出力を算出する。 
（偏差−前回演算時の偏差）×微分ゲイン＝微分制御出力  ・・・（２）
積分制御では、式（３）の演算を行い制御出力を算出する。
（偏差の積分値＋偏差）×積分ゲイン＝積分制御出力      ・・・（３）
【００６９】
図１０はサーボ演算部４５ｙ（又はサーボ演算部４５ｐ）の構成例を示している。
サーボ演算部４５ｙ（４５ｐ）は、増幅部４５１，４５４，４５７、遅延部４５２，４５６、減算器４５３、加算器４５５，４５９を有している。
【００７０】
増幅部４５１は、減算器４３ｙ（４３ｐ）から供給された誤差信号に比例ゲインＫｐを乗じて比例制御出力である比例制御信号を生成する。増幅部４５１は、生成した比例制御信号を加算器４５９へ出力する。
遅延部４５２は、減算器４３ｙ（４３ｐ）から供給された誤差信号を１サンプリング期間遅延して減算器４５３へ出力する。
減算器４５３は、減算器４３ｙ（４３ｐ）から供給された誤差信号に対して、遅延部４５２から出力された誤差信号を減算する演算処理を行い、誤差の微分信号を生成して増幅部４５４へ出力する。
増幅部４５４は、減算器４５３から供給された微分信号に、微分ゲインＫｄを乗じて微分制御出力である微分制御信号を生成する。増幅部４５４は、生成した微分制御信号を加算器４５９へ出力する。
【００７１】
加算器４５５は、減算器４３ｙ（４３ｐ）から供給された誤差信号に対して、遅延部４５６から出力された信号を加算する処理を行い、誤差の積分信号を生成して増幅部４５７へ出力する。
遅延部４５６は、加算器４５５から供給された積分信号を１サンプリング期間遅延して加算器４５５へ出力する。
増幅部４５７は、加算器４５５から供給された積分信号に、積分ゲインＫｉを乗じて積分制御出力である積分制御信号を生成する。増幅部４５７は、生成した積分制御信号を加算器４５９へ出力する。
【００７２】
加算器４５９は、増幅部４５１から供給された比例制御信号と、増幅部４５４から供給された微分制御信号と、増幅部４５７から供給された積分制御信号を加算して、加算後の制御信号を駆動信号出力部４６ｙ（４６ｐ）へ出力する。
サーボ演算部４５ｙ、４５ｐは例えば以上の構成により、ＰＩＤ制御による制御信号を生成する。
なお、制御方式はＰＩＤ制御に限らず他の制御方式を用いるようにしてもよい。例えばＰ（Proportional）制御、ＰＩ（Proportional-Integral）制御、ＰＤ（Proportional-Differential）制御等が採用できる。
【００７３】
ところで図８に示したように振れ補正演算部３は、歪み補正情報ＳＤｙ、ＳＤｐを画像処理部４に供給している。
図９に示すように、振れ補正演算部３は、減算器４１ｙの出力を歪み補正情報ＳＤｙとして出力し、また減算器４１ｐの出力を歪み補正情報ＳＤｐとして出力する。
減算器４１ｙの出力は、可動側レンズユニット２０のヨーイング方向の回転の角速度であり、減算器４１ｐの出力は、可動側レンズユニット２０のピッチング方向の回転の角速度である。
【００７４】
撮像光学系の構成や設計にもよるが、可動側レンズユニット２０を回転させることによって、撮像部２２で得られる画像信号に、図１１に模式的に示すような動的歪みが発生する場合がある。
図１１Ａは歪みがない画像を表している。これに対し、例えばピッチング方向の回転（振れ）がある場合、その回転方向（ピッチング方向の＋方向／−方向）に応じて図１１Ｂ、図１１Ｃのように画像が歪む。またヨーイング方向の回転（振れ）がある場合、その回転方向（ヨーイング方向の＋方向／−方向）に応じて図１１Ｄ、図１１Ｅのように画像が歪む。（なお、図では説明のため、画像歪みの様子を極端に示している）
このような歪みを画像処理部４で補正することとする場合は、可動側レンズユニット２０のヨーイング方向の回転の情報と、ピッチング方向の回転の情報が必要になる。
そこで振れ補正演算部３は、減算器４１ｙ、４１ｐの出力を、可動側レンズユニット２０のヨーイング方向の回転の情報（歪み補正情報ＳＤｙ）と、ピッチング方向の回転の情報（歪み補正情報ＳＤｐ）を画像処理部４に出力している。
これにより画像処理部４で動的歪み補正を適切に実行できる。
例えばこのような構成を設けて回転の情報に基づいて、振れ補正に合わせた歪み補正を行うようにしてもよい。
【００７５】
＜４．第２の実施の形態の撮像装置構成＞
第２の実施の形態を説明する。第２の実施の形態は、回転検出部２４を、ホール素子を用いた位置センサとする例である。例えば回転検出部２４は、図６に示したホール素子６６ｙａ（６６ｙｂ），６６ｐａ（６６ｐｂ）を有する構成とする。これにより回転検出部２４は、可動側レンズユニット２０のヨーイング方向の回転位置（角度）の検出情報Ｈｄｙ、及びピッチング方向の回転位置（角度）の検出情報Ｈｄｐを振れ補正演算部３に出力する（図８参照）。
【００７６】
この場合の振れ補正演算部３の構成を図１２に示す。
図１２において図９と異なるのは、角速度算出部４７ｙ，４７ｐを追加した点である。
角速度算出部４７ｙでは、回転検出部２４から供給された検出情報（回転角度）Ｈｄｙを加速度の値に変換し、減算器４１ｙに供給する。
角速度算出部４７ｐでは、回転検出部２４から供給された検出情報（回転角度）Ｈｄｐを加速度の値に変換し、減算器４１ｐに供給する。
これにより図９の場合と同様に、角速度としての検出情報ｄ２ｙ、ｄ２ｐが得られ、減算機４１ｙ，４１ｐに供給される。以降の構成及び動作は図９の例と同様である。
このような構成により、可動側レンズユニット２０の回転をホール素子によって検出するようにしてもよい。
【００７７】
＜５．まとめ及び変形例＞
以上の第１，第２の実施の形態の撮像装置１は、筐体１Ａ内でヨーイング方向及びピッチング方向に回転可能に支持されている可動側レンズユニット２０と、筐体１Ａに加わる回転を検出する第１の回転検出部９と、筐体１Ａ内で可動側レンズユニット２０に生じる回転を検出する第２の回転検出部２４を備えている。また撮像装置１は、回転検出部９による検出情報ｄ１ｙ、ｄ１ｐ及び回転検出部２４の検出情報ｄ２ｙ、ｄ２ｐ（又はＨｄｙ，Ｈｄｐ）を用いて振れ補正駆動信号ＤＶｙ，ＤＶｐを生成する振れ補正演算部３と、振れ補正駆動信号ＤＶｙ，ＤＶｐに基づいて可動側レンズユニット２０をヨーイング方向及びピッチング方向に駆動する駆動部１２とを備えている。
撮像装置１における撮像画像の像振れを補正する場合に、可動側レンズユニット２０の振れ、即ちヨーイング方向の回転とピッチング方向の回転を適切に検出することが求められる。そこで筐体１Ａ全体に加わる回転と、筐体１Ａに対する可動側レンズユニット２０の回転の検出情報を用いる。回転検出部２４の検出情報は、筐体１Ａの振れの角度と筐体１Ａ内でのレンズユニットの振れの角度を合成した情報であるため、回転検出部９，２４の検出情報の演算により、可動側レンズユニット２０を回転駆動すべき量を適切に求めることが可能となる。つまり像振れを生じさせる回転をより正確に検出できる。これにより適切な像振れの補正が実現される。
【００７８】
また実施の形態では、振れ補正演算部３は、回転検出部９と回転検出部２４の各検出情報の差分値（減算器４１ｙ，４１ｐの出力）を用いて振れ補正駆動信号ＤＶｙ，ＤＶｐを生成するようにしている。
上記差分値として可動側レンズユニット２０の振れの情報を得ることができ、差分の値はレンズユニットの振れに対する補正のための振れ補正駆動信号の生成に適した情報となる。
【００７９】
また実施の形態では、可動側レンズユニット２０の被写体側（物体側）に固定側レンズユニット１０が配置され、可動側レンズユニット２０と固定側レンズユニット１０により撮像光学系が形成されている。そして振れ補正演算部３は、回転検出部９，２４の各検出情報の差分値（減算器４２ｙ，４２ｐの出力）と、筐体１Ａの回転角に対する可動側レンズユニット２０の補正角の比率を反映させた値（乗算器４４ｙ，４４ｐの出力）を用いて振れ補正駆動信号ＤＶｙ，ＤＶｐを生成している。
可動側レンズユニット２０と固定側レンズユニット１０との光学特性の関係により、可動側レンズユニット２０の回転角に対する補正角（補正駆動すべき角度）は、筐体１Ａの回転角（振れ角）に対して或る比率となる。そこで振れ補正駆動信号に当該比率を反映させる。
これにより可動側レンズユニット２０の振れの情報から、さらに光学特性の関係に応じた補正角を反映した振れ補正駆動信号ＤＶｙ，ＤＶｐを生成できる。
【００８０】
また実施の形態においては、可動側レンズユニット２０は、撮像装置１の筐体１Ａ内に密閉状態で配置されている。つまり図１Ａ、図１Ｂで説明したように、例えば固定側レンズユニット１０を筐体１Ａに固定装着することで、筐体１Ａに隙間を生じない密閉構造としている。
これにより防塵性、防水性に優れた撮像装置１を構成でき、多様なアクティビティシーンでの使用に好適な撮像装置１を提供できる。
通常、撮像光学系、例えば各種のレンズや絞り機構、撮像素子等を有するレンズユニットを撮像装置筐体内において可動ユニットとして構成して像振れ補正を行う場合、密閉性が不十分になる。当該レンズユニットとして構成される鏡筒部分が撮像装置内での回転移動を行うことから、レンズユニットの前方（被写体側）の周囲を撮像装置の筐体で固定的に覆うことができず、隙間が生ずるためである。これによって防塵性、防水性の点で不利となる。本実施の形態では、例えば固定側レンズユニット１０によって可動側レンズユニット２０の被写体側を密閉している。
この構成により防塵性、防水性に優れた撮像装置を実現する。
なお、実施の形態では固定側レンズユニット１０を用いて物体側を密閉するようにしたが、例えばこれに変えて保護ガラス等により密閉しても良い。
【００８１】
また、上記のように可動側レンズユニット２０の被写体側（物体側）を、別体の他のレンズユニットである固定側レンズユニット１０が塞ぐように筐体１Ａに装着して、可動側レンズユニット２０が筐体１Ａ内に密閉状態で配置されることで、さらなる効果が得られる。
即ち固定側レンズユニット１０と可動側レンズユニット２０により撮像光学系が形成されるようにし、この場合に固定側レンズユニット１０が筐体１Ａに固定される状態とする。
固定側レンズユニット１０により被写体側が塞がれることで、回転可能に支持されている可動側レンズユニット２０は、筐体１Ａの外部からみて直接表出しない。
これにより上記のように防塵性、防水性に優れた撮像装置を構成できることに加え、撮像光学系を分割することで、回転可能に支持されている可動側レンズユニット２０の小型化、軽量化が促進できる。これにより振れ補正のための駆動系の小型化や駆動性の向上、撮像装置１の小型化、駆動電力の低減による低消費電力化等を促進できる。
なお、可動側レンズユニット２０を構成するレンズの一部あるいは全部をプラスチックレンズで構成することで、ぶれ補正や視野を変化させるときに駆動する可動側レンズユニット２０の重量を軽くすることができ、駆動時の消費電力の抑制に有利となる。
【００８２】
また実施の形態では、画像処理部４は、振れ補正演算部３が求める回転検出部９，２４の各検出情報の差分値、即ち減算器４１ｙ，４１ｐの出力である歪み補正情報ＳＤｙ，ＳＤｐを用いて撮像画像信号に対する画像歪み補正を行うようにしている。
回転可能に支持されているレンズユニットと、筐体１Ａに固定された他のレンズユニットとして撮像光学系を分離している場合、振れに応じて動的な画像歪みが生ずる。この場合に、画像歪みは、筐体１Ａに対する可動側レンズユニット２０の振れ角に応じたものとなるため、回転検出部９，２４の各検出情報の差分値を歪み補正情報ＳＤｙ、ＳＤｐとして用いることが適切となる。
【００８３】
第１の実施の形態では、回転検出部９，２４は角速度センサであるとした。これにより簡易かつ精密に回転検出を行うことができる。
特に可動側レンズユニット２０の回転を角速度センサで検出する場合、可動側レンズユニット２０の光軸方向の動きは検出しないため、光軸方向の揺れが生じることによる検出精度の低下は生じない。
【００８４】
第２の実施の形態では、回転検出部９は角速度センサであり、回転検出部２４はホール素子を用いた位置センサとした。
筐体１Ａに対する可動側レンズユニット２０の振れを検出する回転検出部２４としては、ホール素子を用いることもできる。これにより簡易かつ精密に回転検出を行う。
【００８５】
実施の形態では、可動側レンズユニット２０がヨーイング方向とピッチング方向の両方に回転可能に支持され、駆動部１２は、可動側レンズユニット２０をヨーイング方向とピッチング方向のいずれの方向にも駆動する例を挙げたが、これに限られない。
例えば可動側レンズユニット２０がヨーイング方向のみに回転可能に支持され、駆動部１２によってヨーイング方向のみに回転駆動される例も考えられる。
同様に、可動側レンズユニット２０がピッチング方向のみに回転可能に支持され、駆動部１２によってピッチング方向のみに回転駆動される例も考えられる。
【００８６】
なお、本明細書に記載された効果はあくまでも例示であって限定されるものではなく、また他の効果があってもよい。
【００８７】
なお本技術は以下のような構成も採ることができる。
（１）筐体内でヨーイング方向及びピッチング方向の少なくとも一方に回転可能に支持されているレンズユニットと、
前記筐体に加わる回転を検出する第１の回転検出部と、
前記筐体内で前記レンズユニットに生じる回転を検出する第２の回転検出部と、
前記第１の回転検出部による検出情報及び前記第２の回転検出部の検出情報を用いて振れ補正駆動信号を生成する振れ補正演算部と、
前記振れ補正駆動信号に基づいて前記レンズユニットをヨーイング方向及びピッチング方向の少なくとも一方に駆動する駆動部と、を備えた
撮像装置。
（２）前記振れ補正演算部は、
前記第１の回転検出部と前記第２の回転検出部の各検出情報の差分値を用いて前記振れ補正駆動信号を生成する
上記（１）に記載の撮像装置。
（３）前記レンズユニットの被写体側に他のレンズユニットが配置され、前記レンズユニットと前記他のレンズユニットにより撮像光学系が形成され、
前記振れ補正演算部は、
前記第１の回転検出部と前記第２の回転検出部の各検出情報の差分値と、前記筐体の回転角に対する前記レンズユニットの補正角の比率を反映させた値を用いて前記振れ補正駆動信号を生成する
上記（１）又は（２）に記載の撮像装置。
（４）前記レンズユニットは、前記筐体内に密閉状態で配置されている
上記（１）乃至（３）のいずれかに記載の撮像装置。
（５）前記レンズユニットの被写体側を、他のレンズユニットが塞ぐように前記筐体に装着されることで、前記レンズユニットが前記筐体内に密閉状態で配置される
上記（１）乃至（４）のいずれかに記載の撮像装置。
（６）前記レンズユニットによって得られた撮像画像信号に対する画像処理を行う画像処理部を備え、
前記画像処理部は、前記振れ補正演算部が求める前記第１の回転検出部と前記第２の回転検出部の各検出情報の差分値を用いて撮像画像信号に対する画像歪み補正を行う
上記（３）又は（５）に記載の撮像装置。
（７）前記第１の回転検出部及び前記第２の回転検出部は角速度センサである
上記（１）乃至（６）のいずれかに記載の撮像装置。
（８）前記第１の回転検出部は角速度センサであり、
前記第２の回転検出部はホール素子を用いた位置センサである
上記（１）乃至（６）のいずれかに記載の撮像装置。
（９）筐体内でヨーイング方向及びピッチング方向の少なくとも一方に回転可能に支持されているレンズユニットと、振れ補正駆動信号に基づいて前記レンズユニットをヨーイング方向及びピッチング方向の少なくとも一方に駆動する駆動部と、を備えた撮像装置の像振れ補正方法として、
前記筐体に加わる回転の検出情報と、前記筐体内で前記レンズユニットに生じる回転の検出情報を用いて前記振れ補正駆動信号を生成する
像振れ補正方法。
【符号の説明】
【００８８】
１…撮像装置、２…制御部、３…振れ補正演算部、３ｙ…第１演算部、３ｐ…第２演算部、４…画像処理部、５…記録部、６…表示部、７…通信部、８…操作部、９，２４…回転検出部、１０…固定側レンズユニット、１２…駆動部、２０…可動側レンズユニット、２１…可動側光学系、２２…撮像部、２３…光学系駆動部、４１ｙ，４２ｙ，４３ｙ，４１ｐ，４２ｐ，４３ｐ…減算器、４４ｙ，４４ｐ…乗算器、４５ｙ，４５ｐ…サーボ演算部、４６ｙ，４６ｐ…駆動信号出力部、４７ｙ，４７ｐ…角速度算出部
【図１】
2017199582.tif 000003
【図２】
2017199582.tif 000004
【図３】
2017199582.tif 000005
【図４】
2017199582.tif 000006
【図５】
2017199582.tif 000007
【図６】
2017199582.tif 000008
【図７】
2017199582.tif 000009
【図８】
2017199582.tif 000010
【図９】
2017199582.tif 000011
【図１０】
2017199582.tif 000012
【図１１】
2017199582.tif 000013
【図１２】
2017199582.tif 000014
【国際調査報告】
2017199582.tif 000015
2017199582.tif 000016
2017199582.tif 000017
2017199582.tif 000018